(57)【特許請求の範囲】
【請求項１】
和紙で構成される表層材と、
円板状の芯材であって、前記和紙より高い剛性を有し、前記表層材が少なくとも片面に接合されている芯材とを備える、レコードプレーヤ用ターンテーブルシート。
【請求項２】
前記芯材は、前記和紙よりも吸湿性が低い素材で構成される請求項１記載のレコードプレーヤ用ターンテーブルシート。
【請求項３】
前記芯材は、ストーンシートで構成される請求項２記載のレコードプレーヤ用ターンテーブルシート。
【請求項４】
前記和紙は、半透明である請求項１〜３のいずれか１項に記載のレコードプレーヤ用ターンテーブルシート。
【請求項５】
前記和紙が接合される、前記芯材の接合面には、模様または色彩が付されている請求項４に記載のレコードプレーヤ用ターンテーブルシート。
【請求項６】
前記芯材の両面が前記接合面である請求項１〜４のいずれか１項に記載のレコードプレーヤ用ターンテーブルシート。
【請求項７】
前記芯材は、一方の面と他方の面は異なる模様または色彩が付されている請求項６記載のレコードプレーヤ用ターンテーブルシート。
【請求項８】
前記表層材は、前記芯材に対して粘着シートを介して接合されている請求項１〜７のいずれか１項に記載のレコードプレーヤ用ターンテーブルシート。
【発明の詳細な説明】
【技術分野】
【０００１】
本発明は、レコードプレーヤのターンテーブル上に載置して使用されるレコードプレーヤ用ターンテーブルシートに関するものである。
【背景技術】
【０００２】
レコードプレーヤのターンテーブル上に載置して使用される、レコードプレーヤ用ターンテーブルシート（以下、単にターンテーブルシートという）が知られている（例えば、特許文献１参照）。周知のとおり、ターンテーブルは、音源が記録されたレコード盤（アナログレコードなどとも呼ばれる）を一定速度で回転させるためのテーブルであり、例えば金属製である。ターンテーブルシートは、ターンテーブル上に載置されて、その上にターンテーブルとレコード盤との間に介挿される。ターンテーブルシートは、例えばゴム製であり、こうしたターンテーブルシートを使用することで、摩擦抵抗を高めてターンテーブル上でのレコード盤のスリップを防止するといった効果が得られる。
【０００３】
特許文献１に記載されているとおり、ターンテーブルシートの基本性能を図る項目としては、摩擦抵抗に加えて、平面性、帯電防止性、振動吸収性などがある。特許文献１においては、こうした基本性能を確保しつつ、デザイン性の向上が可能なターンテーブルシートとして、不織布を素材として使用したターンテーブルシートを提案している。
【先行技術文献】
【特許文献】
【０００４】
【特許文献１】特公昭６０−１０３６２号公報
【発明の概要】
【発明が解決しようとする課題】
【０００５】
近年、レコード盤の人気が復活してきており、オーディオ機器メーカーにおいては、レコードプレーヤの新製品の開発にも力が入りつつある。一般的にユーザへの訴求力が高い製品には、これまでに無い斬新なデザイン性が重要となる場合が多いが、嗜好品的な色彩が強い高級オーディオの分野においてはその傾向が顕著である。
【０００６】
そこで、レコードプレーヤの新製品の開発に合わせて、上述の基本性能を確保しつつ、斬新なデザイン性を有する新たなターンテーブルシートの開発が検討されている。
【０００７】
特許文献１に記載のターンテーブルシートも、カラフルなファッション性を確保することを目的とするなど（１頁、コラム２）、デザインに注意が払われていたが、不織布製のターンテーブルシートは、不織布自体の模様が単調であり、表面が毛羽立ちやすいという欠点がある。また、不織布という素材自体に、高級感や品位が不足するという評価や、加えて、現時点においては、ターンテーブルシートの素材として不織布は一般的になっているため、斬新さに欠けるという評価も有る。
【０００８】
もちろん、従来から、ターンテーブルシートの素材としては、不織布の他にも、ゴム、フェルト等が使用されているが、ゴムやフェルトについても、不織布と同様に、模様が単調になりがちであり、デザイン性について斬新さに欠けるという評価を受けるものが多かった。そのため、より斬新なデザイン性に対する要望が大きかった。
【０００９】
本発明は、基本性能を確保しつつ、斬新なデザイン性を持つレコードプレーヤ用ターンテーブルシートを提供することを目的とする。
【課題を解決するための手段】
【００１０】
上記目的を達成するために、本発明のレコードプレーヤ用ターンテーブルシートは、表層材と、芯材とを備える。表層材は、和紙で構成される。芯材は、円板状の芯材であって、和紙より高い剛性を有し、表層材が少なくとも片面に接合されている。
【００１１】
芯材は、和紙よりも吸湿性が低い素材で構成されることが好ましい。芯材は、ストーンシートで構成されることが好ましい。
【００１２】
和紙は、半透明であることが好ましい。和紙が接合される、芯材の接合面には、模様または色彩が付されていることが好ましい。
【００１３】
芯材の両面が接合面であることが好ましい。芯材は、一方の面と他方の面は異なる模様または色彩が付されていることが好ましい。
【００１４】
表層材は、芯材に対して粘着シートを介して接合されていることが好ましい。
【発明の効果】
【００１５】
本発明によれば、和紙と剛性の高い芯材との組み合わせにより基本性能を確保しつつ、これまでに無い斬新なデザイン性を持つレコードプレーヤ用ターンテーブルシートを提供することができる。
【図面の簡単な説明】
【００１６】
【図１】本発明のレコードプレーヤ用ターンテーブルシート、レコード盤、及びレコードプレーヤを示す斜視図である。
【図２】レコードプレーヤ用ターンテーブルシートの斜視図である。
【図３】レコードプレーヤ用ターンテーブルシートの分解斜視図である。
【図４】レコードプレーヤ用ターンテーブルシートの要部断面図である。
【図５】芯材の一方の面に模様を付した第２実施形態のレコードプレーヤ用ターンテーブルシートの斜視図である。
【図６】第２実施形態のレコードプレーヤ用ターンテーブルシートの分解斜視図である。
【図７】一方の接合面を黒色にした変形例のレコードプレーヤ用ターンテーブルシートの斜視図である。
【図８】他方の接合面を白色にした変形例のレコードプレーヤ用ターンテーブルシートの斜視図である。
【図９】図７及び図８に示す変形例のレコードプレーヤ用ターンテーブルシートの分解斜視図である。
【発明を実施するための形態】
【００１７】
図１に示すように、本発明に係るターンテーブルシート１は、例えば、レコードプレーヤ２に使用される。具体的には、ターンテーブルシート１は、レコードプレーヤ２のターンテーブル３上に載置され、ターンテーブル３と、レコード盤４との間に介挿されて使用される。
【００１８】
レコードプレーヤ２は、ターンテーブル３と、トーンアーム５と、筐体６とを備える。筐体６の上面には、ターンテーブル３とトーンアーム５が組み付けられている。ターンテーブル３は、平面形状が円形をしており、例えば金属で形成される。ターンテーブル３は、筐体６に対して回転自在に設けられている。また、ターンテーブル３には、回転中心の位置に、上方に突出するスピンドル７が設けられている。スピンドル７は、レコード盤４を取り付けるために使用される。
【００１９】
また、筐体６には、回転速度切替スイッチ８、スタート／ストップスイッチ９、電源ボタン１０が設けられている。スタート／ストップスイッチ９は、レコードプレーヤ２の電源が投入されている状態で、ターンテーブル３の回転と停止を切り替えるスイッチである。回転速度切替スイッチ８は、ターンテーブル３の回転数を、例えば、毎分３３+（１／３）回転と、毎分４５回転との間で切り替えるスイッチである。
【００２０】
トーンアーム５の先端には、カートリッジ１１が着脱可能に設けられている。カートリッジ１１には、レコード針(図示せず)が取り付けられている。
【００２１】
レコード盤４を再生する場合には、レコード盤４は、レコード盤４の中心の開口にスピンドル７を挿通させて、ターンテーブル３上に載置される。ターンテーブルシート１は、例えば、ターンテーブル３とほぼ同径であり、ターンテーブル３の表面全面を覆う大きさを有している。ターンテーブルシート１は、ターンテーブル３上に載置されるため、ターンテーブル３上のレコード盤４は、直接的にはターンテーブルシート１と接触する。
【００２２】
ターンテーブル３を回転させて、回転するレコード盤４上に、トーンアーム５の先端のカートリッジ１１を移動させ、トーンアーム５を下降させて、カートリッジ１１をレコード盤４上に落とし込む。カートリッジ１１は、レコード針を通じて、レコード盤４の音溝に応じた音声信号を電気信号に変換する。電気信号は、図示しないアンプを介して内蔵スピーカ、または外付けのスピーカ、ヘッドホンなどに出力されて、レコード盤４に記録された音声が再生される。
【００２３】
図２及び図３に示すように、ターンテーブルシート１は、表層材２１，２２と、芯材２３とを備える。芯材２３は、薄い円板状であり、一方の面２３ａに表層材２１が、他方の面２３ｂに表層材２２が接合されている。また、芯材２３は、中央にスピンドル７を通過させる開口２３ｃが形成されている。
【００２４】
なお、本例では、芯材２３の両面に表層材２１，２２を接合する例で説明しているが、表層材を片面にのみ設けてもよい。表層材を両面に設けることで、ターンテーブルシート１をリバーシブルで使用することができる。こうすることで、例えば、一方の面が汚れた場合でも、他方の面を使用することができるので、製品寿命が延びるというメリットがある。また、表層材２１，２２の色を変えたり、表面に使用する表層材２１，２２を変えることで異なる雰囲気を与えることができる。
【００２５】
表層材２１，２２は、芯材２３と同径の円板状であり、芯材２３の開口２３ｃと同じ位置に開口２１ａ，２２ａが形成されている。表層材２１，２２は、素材として和紙を使用して構成される。「和紙」とは、原材料である植物繊維を水に溶かして水中に分散させ、手抄きまたは機械抄きにより、植物繊維を掬い絡み合わせることで製造した紙をいう。「和紙」には、生産地や原材料の原産国を日本国内のものとするものの他、日本国外のものも含まれる。ここで、「植物繊維」には、楮、三椏、雁皮等が含まれる。また、「抄く」とは、水に溶かした原材料を簀子の上に薄くのばして敷くことをいう。
【００２６】
芯材２３は、和紙よりも高い剛性を有する素材で構成される。和紙は、柔らかいため、剛性が不足し、和紙のみでは、ターンテーブルシート１の平面性を確保できない。平面性は、回転するレコード盤４とレコード針の接触状態の安定性に影響する。そのため、芯材２３は、平面性を確保するため、和紙よりも高い剛性を有する素材が選択される。また、芯材２３は、和紙よりも高い剛性を有するとともに、和紙よりも吸湿性が低い、すなわち
、耐水性が高い素材であることが好ましい。
【００２７】
このような剛性を有する芯材２３の素材としては、例えばストーンシートが使用される。ストーンシートは、石灰石を主原料とするシート状の素材であり、プラスチックのような耐久性、耐水性、剛性、質量を有する。ストーンシートとしては、例えば株式会社ＴＢＭが製造販売するＬＩＭＥＸ（登録商標）が用いられる。
【００２８】
このような和紙で構成される表層材２１，２２と、和紙よりも剛性が高い芯材２３とを組み合わせることにより、以下に示すように、帯電防止性、摩擦抵抗、振動吸収性といったターンテーブルシート１の基本性能を確保するとともに、斬新なデザイン性を実現することができる。
【００２９】
まず、和紙は、高い吸湿性を有し、湿気を含んだ状態になりやすいため、静電気が発生しにくい。すなわち、和紙は、高い帯電防止性を有する。また、和紙は、比較的摩擦係数も高く、レコード盤４のスリップを防止する程度の摩擦抵抗を確保することができる。さらに、和紙は、柔軟性を有することから、ターンテーブルシート１は、表層においては振動吸収性が高い。一方、和紙よりも剛性の高い芯材２３を使用しているため、柔らかすぎず、全体としては適度な硬さを確保できる。
【００３０】
そして、和紙は、繊維が絡み合った独特の模様が現れるなど、独特の質感や風合いを持つため、ゴムや不織布といった従来ターンテーブルシートに使用されてきた素材とは異なる、斬新なデザイン性を有する。
【００３１】
このように、和紙で構成される表層材２１，２２と、和紙よりも剛性が高い芯材２３とを組み合わせることにより、帯電防止性、摩擦抵抗、振動吸収性といったターンテーブルシート１の基本性能を確保するとともに、斬新なデザイン性を実現することができる。
【００３２】
さらに、芯材２３としてストーンシートを使用することで、次のようなメリットもある。和紙は吸水を繰り返すと剛性が徐々に低下するおそれがあるが、ストーンシートは、和紙よりも吸湿性が低く、プラスチックのように耐水性に優れているため、ターンテーブルシート１は全体として剛性が変化することはない。また、ストーンシートはプラスチックシートと同等の質量を有するため、風などの影響により、ターンテーブル３上で浮き上がる心配もない。
【００３３】
また、和紙は、植物繊維を原材料とすることから、廃棄時に有害物質などの発生が少なく、高い環境性能を有する。ストーンシートも、主原料は石灰石であるため、廃棄時に有害物質などの発生が少なく、高い環境性能を有する。そのため、これらを組み合わせることにより、ターンテーブルシート１全体として高い環境性能を確保することができる。
【００３４】
図４に示すように、表層材２１，２２は、芯材２３に対して粘着シート２４を介して接合されている。なお、芯材２３に対して表層材２１，２２を接合する場合、例えば、芯材２３の面２３ａ，２３ｂにそれぞれ粘着シート２４を貼り付けた状態とした後、表層材２１，２２を圧着する。このように、芯材２３に対して粘着シート２４を介して表層材２１，２２を接合することで、ターンテーブルシート１の表面を綺麗に形成することができる。というのも、和紙の接合において一般的に用いられる、にかわ、のりなどで接合すると、表面に皺や筋が生じてしまうことが判明した。本実施形態のように粘着シート２４を用いると、こうした皺や筋が発生しないため、表面を綺麗に形成することができる。
【００３５】
また、和紙は、独特の質感や風合いから、一般的に高級感のある印象を与える素材である。一方、レコードプレーヤ２の上位機種では、ターンテーブルや筐体に、上質な品位や質感を持つ素材やデザインが使用される。例えば、上記機種では、ターンテーブル３を透明な素材で形成したり、筐体６の素材に大理石を使用する場合がある。こうした上位機種に使用するターンテーブルシート１に対しては、相応の高級感が要求される。高級感のある和紙を表層材２１，２２とするターンテーブルシート１は、レコードプレーヤ２の上位機種とのマッチングもよい。
【００３６】
なお、ターンテーブルシートの素材として、ゴムや不織布の他に、高級感のある素材として、金属板、カーボン、革なども知られている。こうした高級感のある素材と比較して、和紙はコストが安いというメリットがある。また、和紙と芯材２３を組み合わせたターンテーブルシート１は、金属板、カーボンと比べて振動吸収性がよく、革と比べて平面性が高いというメリットがある。
【００３７】
［第２実施形態］
図５及び図６に示す第２実施形態のターンテーブルシート３０は、半透明の和紙を使用して、さらにデザイン性を向上する工夫を施したものである。和紙は、半透明であるものが多く、半透明の和紙と下地を重ねると、和紙を通して下地の模様が透けて見える。そのため、芯材の接合面に模様を付すことで、白地で無地の接合面を使用する場合と比べてデザイン性を向上することができる。第２実施形態では、第１実施形態と同一の部材については同一の符号を示して説明を省略し、第１実施形態との相違点を中心に説明する。
【００３８】
ターンテーブルシート３０は、表層材２１，２２と、芯材３１とを備える。芯材３１は、上記第１実施形態の芯材２３と同様、薄い円板状であり、粘着シート２４を介して表層材２１，２２が接合されている。芯材３１は、例えば、上記第１実施形態の芯材２３と同様のストーンシートから構成されている。
【００３９】
図６に示すように、芯材３１は、表層材２１が接合される接合面３１ａに花柄の模様３３が付されている。図５に示すように、接合面３１ａの模様３３は、半透明の和紙で構成された表層材２１が接合された状態でも、表層材２１を通じて視認することができる。
【００４０】
ストーンシートは、プラスチックシートのように印刷を施すことが可能であるので、ストーンシートを使用した芯材３１には容易に模様を付すことができる。模様３３は、芯材３１に直接印刷してもよいし、模様が印刷されたシールやシートを芯材３１に貼付するようにしてもよい。また、芯材３１は、芯材２３と同様に、中央にスピンドル７を通過させる開口３１ｃが形成されている。
【００４１】
本例では、模様３３を接合面３１ａのみに付しているが、接合面３１ａに加えて接合面３１ｂに付してもよい。
【００４２】
ここで、「半透明」とは、表層材２１，２２が接合される、芯材３１の接合面３１ａ，３１ｂに付された模様が表層材２１，２２を通じて視認できる状態をいう。
【００４３】
以上のように、半透明の和紙で構成される表層材２１，２２を使用すれば、接合面３１ａ，３１ｂに付した模様を、表層材２１，２２を通じて視認することができる。ターンテーブルシート３０は、和紙を通じて視認される模様３３と和紙の質感や風合いとの相乗効果により、より斬新なデザイン性を獲得することができる。
【００４４】
また、一方の接合面３１ａと他方の接合面３１ｂに、異なる模様を付してもよい（例えば、一方は、「桜の花」、他方は「紅葉」など）。こうすれば、ユーザは好みや気分に応じて表と裏で異なる模様を楽しむことができる。また、表層材２１，２２の一方と他方を異なる色にしてもよい。この場合は、接合面３１ａ，３１ｂの模様は両面同じでもよいし、異なっていてもよい。同じ模様でも、和紙の色が変わることで雰囲気を変えることが
できる。
【００４５】
図７〜図９に示すターンテーブルシート３５は、ターンテーブルシート３０の変形例であり、接合面３１ａ，３１ｂに対して、模様ではなく、色彩を付したものであり、一方の接合面３１ａと他方の接合面３１ｂに、異なる色彩を付している。例えば、図７に示すように、接合面３１ａは、黒色であり、図８に示すように、接合面３１ｂは、白色である。図９に示すように、ターンテーブルシート３５の構成は、ターンテーブルシート３０と同様である。このように和紙の下地に色彩を付すことにより、半透明の和紙の色彩と接合面３１ａ，３１ｂの色彩との相乗効果が生じて、下地が無色の場合とは異なる印象を与えることができる。
【００４６】
本発明は、上記実施形態に限定されるものではなく、本発明の趣旨を逸脱しない範囲で適宜変更が可能である。例えば、図５、図６に示すターンテーブルシート３０では模様を、図７〜９に示すターンテーブルシート３５では色彩をそれぞれ付した例で説明したが、模様と色彩の両方を組み合わせてもよい。
【００４７】
また、芯材３１の素材としてストーンシートを使用した例で説明しているが、和紙よりも剛性が高ければストーンシートでなくてもよい。もちろん、ストーンシートを使用することで、上述の効果があるため、ストーンシートを用いることが好ましい。
【符号の説明】
【００４８】
１，３０，３５  ターンテーブルシート
２  レコードプレーヤ
３  ターンテーブル
４  レコード盤
２１，２２  表層材
２３，３１  芯材
２４  粘着シート
３３  模様
【図１】
0006515790.tif 000002
【図２】
0006515790.tif 000003
【図３】
0006515790.tif 000004
【図４】
0006515790.tif 000005
【図５】
0006515790.tif 000006
【図６】
0006515790.tif 000007
【図７】
0006515790.tif 000008
【図８】
0006515790.tif 000009
【図９】
0006515790.tif 000010